(57)【特許請求の範囲】
【請求項１】
外筐体内に、骨伝導スピーカを内蔵していて前記外筐体内に支持手段を介して設置されるユニットケースと、前記ユニットケースを前記外筐体内において変位させる駆動手段とを配備し、前記外筐体に前記ユニットケースの頭側部当接面を露出させる開口を設け、前記駆動手段が、前記ユニットケースが前記外筐体に対し接触状態又は非接触状態となるよう作用するようにしたことを特徴とする骨伝導スピーカを用いた音響装置。
【請求項２】
前記外筐体は、携帯電話機のケースである請求項１に記載の骨伝導スピーカを用いた音響装置。
【請求項３】
前記外筐体は、携帯電話機との間の通信手段を備えた胸元等へ取り付け可能なアクセサリタイプのケースである請求項１に記載の骨伝導スピーカを用いた音響装置。
【請求項４】
前記通話手段は無線通信である請求項３に記載の骨伝導スピーカを用いた音響装置。
【請求項５】
前記ユニットケースは、待受け時においては常時前記外筐体に接触状態にされる請求項１乃至４のいずれかに記載の骨伝導スピーカを用いた音響装置。
【請求項６】
前記ユニットケースは凸形状で、その上面が前記当接面として前記外筐体の開口より突出する請求項１乃至請求項５のいずれかに記載の骨伝導スピーカを用いた音響装置。
【請求項７】
前記駆動手段は進退動作をし、その前進時に前記ユニットケースの当接面が前記外筐体の開口から突出するように作用する請求項１乃至請求項６のいずれかに記載の骨伝導スピーカを用いた音響装置。
【請求項８】
前記外筐体はマイクロホンが引出し可能であり、その引出し操作に伴って前記駆動手段が連動し、前記ユニットケースを前記外筐体に対し非接触状態にする請求項１乃至７のいずれかに記載の骨伝導スピーカを用いた音響装置。
【請求項９】
前記支持手段は、前記外筐体の内面に固定された弾性材である請求項１乃至８のいずれかに記載の骨伝導スピーカを用いた音響装置。
【発明の詳細な説明】
【技術分野】
【０００１】  本発明は、骨伝導スピーカを用いた音響装置、より詳細には、骨伝導スピーカータイプの携帯電話機等に好適な骨伝導スピーカを用いた音響装置に関するものである。
【背景技術】
【０００２】  骨伝導スピーカを通話用スピーカとして搭載する携帯電話機の場合は、騒音下等でも問題なく通話内容を聞き取ることができるので便利であるが、骨伝導スピーカの他に着信音等を出力する通常の音圧型スピーカが必要となる。このように、２種類のスピーカを併用しなければならないことが、装置を小型・軽量化する上で大きな支障となっている。
【特許文献１】特開２００３−３４８２０８号公報
【発明の開示】
【発明が解決しようとする課題】
【０００３】  そこで本発明は、従来骨伝導スピーカの他に必要であった音圧型スピーカが不要で、１つの骨伝導スピーカを通話用と着信音の出力用とに兼用でき、以て装置を小型・軽量化し得る骨伝導スピーカを用いた音響装置を提供することを課題とする。
【課題を解決するための手段】
【０００４】  本発明は、外筐体内に、骨伝導スピーカを内蔵していて前記外筐体内に支持手段を介して設置されるユニットケースと、前記ユニットケースを前記外筐体内において変位させる駆動手段とを配備し、前記外筐体に前記ユニットケースの頭側部当接面を露出させる開口を設け、前記駆動手段が、前記ユニットケースが前記外筐体に対し接触状態又は非接触状態となるよう作用するようにしたことを特徴とする骨伝導スピーカを用いた音響装置、を以て上記課題を解決した。【０００５】  前記外筐体は、携帯電話機のケースである場合と、携帯電話機との間の通信手段を備えた胸元等へ取り付け可能なアクセサリタイプのケースである場合とがあり、前記通信手段は有線の場合と無線の場合とがある。
好ましくは、前記ユニットケースは、待受け時において常時前記外筐体に接触状態にあるようにされる。【０００６】  前記ユニットケースは凸形状で、その上面が前記当接面として前記外筐体の開口より突出するようにし、前記駆動手段は進退動作をし、その前進時に前記ユニットケースの当接面が前記外筐体の開口から突出するように作用するようにすることができ、また、前記外筐体はマイクロホンを引出し可能にし、その引出し操作に伴って前記駆動手段が連動し、前記ユニットケースを前記外筐体に対し非接触状態にするよう作用させることができる。
【発明の効果】
【０００７】  本発明の骨伝導スピーカを用いた音響装置によれば、待受け時において発呼があると、骨伝導スピーカが動作してそれに接触しているユニットケースを振動させて空気振動音を発生させる。即ち、発呼があると、骨伝導スピーカがバイブレーション機能を発揮すると共に、ユニットケースから着信音が空気振動音として発せられる。このように、本発明によれば、受話音声出力と着信音等の出力を骨伝導スピーカのみで行なうことができ、従来別途必要であった音圧型スピーカが不要となるので、その分装置を小型・軽量化することができる。
【図面の簡単な説明】
【０００８】［図１］本発明に係る骨伝導スピーカを用いた音響装置の一実施形態の動作を示す図である。
［図２］本発明に係る骨伝導スピーカを用いた音響装置の他の実施形態を示す図である。
［図３］本発明に係る骨伝導スピーカを用いた音響装置の更に他の実施形態を示す図である。
【発明を実施するための最良の形態】
【０００９】  本発明の好ましい実施の形態を添付図面に依拠して説明する。図１は本発明の基本構成及び動作を示す図で、本発明に係る骨伝導スピーカを用いた音響装置は、外筐体３内に、骨伝導スピーカを内蔵したユニットケース１と、外筐体３内においてユニットケース１を支持する支持手段４と、外筐体３内においてユニットケース１を変位させる駆動手段５とを収納して成る。【００１０】  図示したユニットケース１は、使用時に側頭部に当接させることになる当接面２を上面とした凸形状とされているが、特にこの形状である必要はなく、その他適宜形状となし得る。【００１１】  外筐体３は、携帯電話機自体のケースである場合と、携帯電話機６とは別体であって、送受信手段を備えていて、携帯電話機６と通信可能な状態に接続されるアクセサリタイプのケースである場合（図２参照）とがある。【００１２】  後者の場合、外筐体３は、例えば、ペンダントやブローチのように、チェーン１１を付けて胸元に吊下可能にしたり、フックを付けて胸ポケットに取り付け可能にしたりし、且つ、身飾的効果のある外装とすることが好ましい（図２参照）。携帯電話機６と外筐体３との間の通信は、有線であってもよいが、ブルートゥースその他の無線によることが好ましい。また、外筐体３内には更に、マイク部、バッテリー等が適宜組み込まれる。【００１３】  外筐体３には、ユニットケース１に対応する形状の開口７が形成される。この開口７は、ユニットケース１の当接面２を突出状態に露出させるためのものである。ユニットケース１は、その一部、即ち、段部８が、後述する駆動手段５の作用で、待受け時においては開口７の内側端縁部に接触し続け（図１（Ａ））、通話時においてはそこから離れる。【００１４】  支持手段４は外筐体３の内側面に固定されてユニットケース１を可動状態に支持するもので、例えば、プラスチック、ゴム等の弾性と振動吸収性とを併せ持つ素材製のブロック、スプリング等で構成される。支持手段４は、駆動手段５の作用がユニットケース１に及んでいない間、ユニットケース１を外筐体３に対して非接触状態に支持する。【００１５】  駆動手段５は、外筐体３に対して非接触状態にあるユニットケース１を変位させて、接触状態にする役目を果たす。その構成は任意であるが、例えば、外筐体３内に先端に放物線状の押上部９を有する駆動アーム１０を進退可能に軸支させ、この駆動アーム１０を外筐体３の外側から操作可能にする構成が考えられる。【００１６】  この構成の場合、外筐体３の外側からの操作によって駆動アームを前進させれば、その先端の押上部９がユニットケース１の底部に当たり、これを押上げるよう作用し、ユニットケース１が外筐体３に接触する（図１（Ａ））。なお、その際にユニットケース１が傾いたりしないようにするため、ユニットケース１を支持するガイドを適宜配設する。また、スライドボタンを戻せば、ユニットケース１は、支持手段４の弾性作用によって元に復位し、外筐体３に対して非接触状態となる（図１（Ｂ））。【００１７】  図３に示す実施形態は、マイクロホンを内蔵したマイク部１２を外筐体３から引出し可能にしたもので、図示したものは、マイク部１２の一端部が外筐体３に枢支されていて、回動させることによってマイク部１２を引出し可能にしたものである。この場合、例えば、上記の如き駆動アーム１０の端部をマイク部１２に設けた長孔１３に係止させる構成とする。それにより、使用に際してマイク部１２の引出し操作を行なうと、駆動アーム１０が後退して通話状態となり、また、マイク部１２を戻す操作を行なうと、駆動アーム１０が前進して待受け状態となるようにすることができる。【００１８】  次に本発明に係る骨伝導スピーカを用いた音響装置の動作について説明する。先ず、携帯電話機に本発明に係る骨伝導スピーカを用いた音響装置を組み込んだ場合（外筐体３が携帯電話機のケースである場合）について説明するに、この場合携帯電話機に着信があると、携帯電話機のスピーカ制御回路は入力された着信報知信号を増幅して骨伝導スピーカを駆動させ、着信を報知する。具体的には、骨伝導スピーカが収められたユニットケース１が振動するが、上述したように、待受け状態では駆動手段５の作用によりユニットケース１が外筐体３に接触しているので（図１（Ａ））、ユニットケース１の振動が外筐体３に伝達され、外筐体３全体が振動する。その結果、空気振動が起こって設定された着信音が拡声される。【００１９】  そして、ユーザーにより押しボタン等による着信応答操作がなされると、回線が接続されるとともに、受信した音声信号がスピーカ制御回路に出力され、骨伝導スピーカが通話用スピーカとして駆動される。ユーザーは、当接面２を耳付近の頭側部に当てて、骨伝導音声を聴取する。【００２０】  その際駆動手段５は、ユーザーの着信応答操作によりユニットケース１から離れるように後退動作し、その結果ユニットケース１が外筐体３と非接触状態になるので（図１（Ｂ））、着信音の拡声が停止する。そして、ユーザーにより通話終了操作がなされると、通話を終了して待受け状態へ戻り、駆動手段５の前進動作により、ユニットケース１が再び外筐体３に接触した状態が維持される（図１（Ａ））。【００２１】  なお、着信通報は上述した振動による拡声手段だけでなく、光も併せて報知できるようにしてもよい。また、着信時の拡声音や通話中に聞こえる音声の音量を調節できるように、携帯電話機のボタン操作等で変更できるようにしておいてもよい。【００２２】  上記実施例では、着信を報知した後着信応答操作がなされ、回線が接続されたときに駆動手段５がユニットケース１から離れるように後退動作し、回線が切断されたときに駆動手段５がユニットケース１に作用するよう前進動作するようにしているが、駆動手段５の動作のタイミングは、これに限定されるものではなく、例えば携帯電話機が折畳み式の場合に、ユーザーの開閉動作により駆動手段５が後退、前進動作するようにしてもよい。【００２３】  外筐体３が携帯電話機とは別体のケースの場合も、待受け時には上記同様ユニットケース１が外筐体３に接触した状態にあり、携帯電話機に着信があると、着信報知信号が有線又は無線の通信手段を介して外筐体３内の受信手段に伝送される。これにより骨伝導スピーカが動作してユニットケース１を振動させ、外筐体３を介して着信音が拡声される。【００２４】  そして、ユーザーが外筐体３の駆動手段５を操作することにより、ユニ���トケース１が外筐体３から離れ、ユーザーは当接面２を頭側部に当てて骨伝導音として聴取する。【００２５】  なお、ユニットケース１を外筐体３に接触したままで、着信音だけでなく、受話音をも空気振動音として聴取することが可能である。その場合は、ハウリング防止のため、マイクロホン回路はオフ状態にする。また、その場合、ハウリング防止回路等を組み込むことにより、スピーカホンのようにしての使用法も可能である。
【図１】
0004118917.tif 000002
【図２】
0004118917.tif 000003
【図３】
0004118917.tif 000004